(57)【要約】【課題】複数の処理が実施されている場合でも、所望のオーダーの各処理の状態を容易に把握することで、ユーザの利便性や作業効率を向上させた画像処理装置および画像処理プログラムを提供することにある。【解決手段】一つのオーダーにおいて複数の処理を実施して画像データをプリントする写真プリントシステム１において、写真プリントシステム１は、オーダーのオーダー番号が入力される入力画面５０と、入力画面５０に入力されたオーダー番号に対応する処理情報を、複数のオーダーの処理情報の中から探知する制御部３３と、制御部３３において探知されたオーダー情報に対応する処理情報を表示するモニタ２３と、を備えている。【選択図】図３
2007272109.tif 000002
【特許請求の範囲】
【請求項１】
一つのオーダーにおいて複数の処理を実施して画像データをプリントする画像処理装置であって、
前記オーダーのオーダー情報が入力される入力部と、
前記入力部に入力された前記オーダー情報に対応する処理情報を、複数の前記オーダーの処理情報の中から探知する制御部と、
前記制御部において探知された前記オーダー情報に対応する前記処理情報を表示する表示部と、
を備えている、画像処理装置。
【請求項２】
前記制御部は、前記制御部で探知された前記処理情報を、前記複数の処理に各々対応する複数の画像の少なくとも一つを用いて、前記表示部に表示させる、
請求項１に記載の画像処理装置。
【請求項３】
前記制御部は、前記複数の画像のうち、前記制御部で探知された前記処理情報に対応する画像を、前記表示部に強調表示させる、
請求項２に記載の画像処理装置。
【請求項４】
前記制御部は、前記制御部で探知された前記処理情報を、表形式で前記表示部に表示させる、
請求項１に記載の画像処理装置。
【請求項５】
前記制御部は、複数の前記オーダーの処理情報の一覧を、前記表示部に表示させる、
請求項１に記載の画像処理装置。
【請求項６】
前記制御部は、複数の前記オーダーの処理情報の前記一覧表示の結果に基づいて、前記複数の前記オーダーの処理順を最適化する、
請求項５に記載の画像処理装置。
【請求項７】
前記制御部は、さらに前記オーダーの前記複数の処理毎の終了時間を算出し、
前記終了時間を前記表示部に表示させる、
請求項１から６のいずれか１項に記載の画像処理装置。
【請求項８】
一つのオーダーにおいて複数の処理を実施して画像データをプリントする画像処理プログラムであって、
前記オーダーのオーダー情報を取得する第１のステップと、
前記オーダー情報に対応する処理情報を、複数の前記オーダーの処理情報の中から探知する第２のステップと、
前記オーダー情報に対応する前記処理情報、あるいは前記オーダー情報に対応する前記処理情報および他のオーダーの処理情報を表示する第３のステップと、
を備えた処理情報表示方法をコンピュータに実行させる、画像処理プログラム。
【発明の詳細な説明】
【技術分野】
【０００１】
本発明は、写真プリントを行う際に各オーダーの処理状況を確認する画像処理装置および画像処理プログラムに関する。
【背景技術】
【０００２】
近年、デジタルカメラ等の画像処理装置によって撮影されて得られるデジタル画像データや、写真フィルムに撮影された画像をフィルムスキャナによって読み取って形成されたデジタル画像データ等に基づいて、写真プリントを行う写真プリント画像処理装置（デジタルミニラボ）が広く用いられている。
このような写真プリント画像処理装置には、ユーザの便宜を図るために写真プリントの処理がどこまで進んだかをモニタに表示する等して、ユーザに所望のオーダーの処理工程に関する処理状況（処理情報）を通知するものがある。
【０００３】
このような処理情報を通知するために、例えば、画像データをプリントする感光材料の画像処理装置内における位置情報や一連の写真プリント処理の終了予定時間を表示して、ユーザの利便性を図った装置が提供されている（例えば、特許文献１および２参照）。
【特許文献１】特開２００１−３０５６６８号公報（平成１３年１１月０２日公開）
【特許文献２】特開２００１−３０５６７２号公報（平成１３年１１月０２日公開）
【発明の開示】
【発明が解決しようとする課題】
【０００４】
しかしながら、上記従来の装置では、以下に示すような問題点を有している。
すなわち、特許文献１および２に開示された画像処理装置では、所望のオーダーにおいて、その処理情報を表示要求した時点で画像処理装置が行っている処理を表示している。しかし、これでは、一つのオーダーに対して複数の処理が実施されている場合に、所望のオーダーについて、各々の処理に関する正確な処理情報を通知することができない。これは、例えば、並行して実施されている複数の処理の一つが終了していても、他方の処理が続行中の場合もあるためである。そのため、急ぎのオーダーを確認したい場合等に不便であり、ユーザの作業効率が低下する。
【０００５】
そこで、本発明は、上記課題を解決し、ユーザの利便性および作業性を向上させた画像処理装置および画像処理プログラムを提供することにある。
【課題を解決するための手段】
【０００６】
第１の発明に係る画像処理装置は、一つのオーダーにおいて複数の処理を実施して画像データをプリントする画像処理装置であって、入力部と、制御部と、表示部と、を備えている。入力部には、オーダーのオーダー情報が入力される。制御部は、入力部に入力されたオーダー情報に対応する処理情報を、複数のオーダーの処理情報の中から探知する。表示部は、制御部において探知されたオーダー情報に対応する処理情報を表示する。
【０００７】
ここでは、一つのオーダーに対して複数の処理が実施される場合に、特定のオーダー情報を指定することでその処理状況を確認できる画像処理装置を示す。
なお、複数の処理とは、例えば、画像データをプリントするプリント処理、画像データを記録媒体に保存する保存処理、さらには画像データに加工を施した付加価値プリントを作成する付加価値プリント作成処理等を含む。また、オーダー情報とは、例えば、各オーダーを識別するための番号、記号、およびそれらの組み合わせを含む。また、処理情報とは、上記オーダー情報が入力された時点で通知要求される、一つのオーダーに対応する上記複数の処理の進捗状況のことである。進捗状況とは、例えば、「未処理」、「Ａ処理中」、「Ｂ処理中」、および「終了」を含む。
【０００８】
従来、ユーザの利便性のために、所望のオーダーの処理工程に関する処理情報を知らせる画像処理装置がある。一方、近年の感光材料に対して写真プリントを行う画像処理装置では、高性能化に伴う処理工程の増加や、デジタル処理が行われるようになったことから、一つのオーダーについて複数の処理が並行して実施されている。この場合でも、ユーザの利便性や作業効率を向上させるために、一つのオーダーに対して複数の処理が各々どのような進捗状況にあるのかを探知してユーザに通知する必要がある。しかし、従来の装置では、複数の処理が並行して実施されている場合には、所望のオーダーの処理工程に関する処理情報を通知することができない。
【０００９】
そこで、本発明の画像処理装置においては、入力部を設けて、ユーザが各オーダーと一対一に対応する所定のオーダー情報を入力できるようにする。その入力されたオーダー情報に基づいて、制御部は所望のオーダーの各処理状況を探知する。さらに、制御部は、表示部にそれらの結果を、所望のオーダーにおける複数の処理の状況を含んだ処理情報として表示させる。
【００１０】
これにより、複数の処理が並行して実施されている場合でも、画像処理装置の動作中であれば、ユーザは所望のオーダーの各処理の状態を容易に把握することができる。
従って、ユーザの利便性や作業効率を向上させる画像処理装置を得ることができる。
【００１１】
第２の発明に係る画像処理装置は、第１の発明に係る画像処理装置であって、制御部は、制御部で探知された処理情報を、複数の処理に各々対応する複数の画像の少なくとも一つを用いて、表示部に表示させる。
ここでは、表示部において所望のオーダーの処理情報を表示する際の表示形式の一例について示す。
ユーザの利便性や作業効率を考慮すると、所望のオーダーの処理情報はできるだけわかり易く表示されることが好ましい。またこれは、特に近年、写真プリントが一般的になり、専門家だけではなくあらゆるユーザが画像処理装置を操作する可能性を想定する必要があることからも、望ましいことである。
【００１２】
そこで、本発明の画像処理装置においては、オーダーの処理情報を表示するために、画像を用いる。具体的には、一つのオーダーにおける複数の処理に各々対応する画像を用意して、特定のオーダーの処理情報を要求した時点でなされている処理に応じて、これらの画像を使い分けて表示する。
これにより、ユーザは、所望のオーダーの処理情報を容易に確認することができる。
【００１３】
従って、ユーザの利便性や作業効率をさらに向上させる画像処理装置を得ることができる。
【００１４】
第３の発明に係る画像処理装置は、第２の発明に係る画像処理装置であって、制御部は、複数の画像のうち、制御部で探知された処理情報に対応する画像を、表示部に強調表示させる。
ここでは、表示部において所望のオーダーの処理情報を表示する際の他の表示形式の例について示す。
所望のオーダーの処理情報をさらにわかり易く通知するためには、視覚的な効果を用いることも効果的である。
そこで、本発明の画像処理装置においては、制御部により、特定のオーダーの処理情報を要求した時点でなされている処理に対応する画像の一部等を強調表示させる。
【００１５】
これにより、ユーザに知らせるべき処理情報が強調されるので、ユーザは一目で各処理が処理中であるか否か等の区別ができ、所望のオーダーの処理情報をさらに容易に確認することができる。
従って、ユーザの利便性や作業効率をさらに向上させる画像処理装置を得ることができる。
【００１６】
第４の発明に係る画像処理装置は、第１の発明に係る画像処理装置であって、制御部は、制御部で探知された処理情報を、表形式で表示部に表示させる。
ここでは、表示部において所望のオーダーの処理情報を表示する際のさらに他の表示形式の例について示す。
表示部の構成や画面の状態によって、あるいはユーザの好みによっては、処理情報を表示する際に画像以外の表示手段を用いる方がよい場合もある。
【００１７】
そこで、本発明の画像処理装置においては、所望のオーダーの処理情報を表示するために、表形式を用いる。すなわち、表中において、各処理の一覧、およびそれらの処理がその時点でどの状態（未処理、Ａ処理中、Ｂ処理中、および終了）にあるかを表示する。
これにより、ユーザは、所望のオーダーの処理情報を容易に確認することができる。
従って、ユーザの利便性や作業効率をさらに向上させる画像処理装置を得ることができる。
【００１８】
第５の発明に係る画像処理装置は、第１の発明に係る画像処理装置であって、制御部は、複数のオーダーの処理情報の一覧を、表示部に表示させる。
ここでは、表示部において所望のオーダーの処理情報を表示するさらなる例について示す。
通常、画像処理装置において、処理するオーダー数が多い場合には、他のオーダーがどれだけあり、各々にどのような処理が要求されているか等の依頼状況も確認できると効率がよい。また、所望のオーダーの処理情報だけではなく、他のオーダーの処理情報も同時に確認できることが好ましい。
【００１９】
そこで、本発明の画像処理装置においては、制御部により、表示部に複数のオーダーの処理情報を一覧表示させる。
これにより、ユーザは、画像処理装置において要求されている複数の処理の状況を全体的に把握することができる。
従って、ユーザの利便性や作業効率をより一層向上させる画像処理装置を得ることができる。
【００２０】
第６の発明に係る画像処理装置は、第５の発明に係る画像処理装置であって、制御部は、複数のオーダーの処理情報の一覧表示の結果に基づいて、複数のオーダーの処理順を最適化する。
ここでは、画像処理装置における処理をより効率化させるための制御を行う例を示す。
一般的に、処理するオーダー数が多いと、各オーダーによって処理要求が異なるために、画像処理装置の処理効率が低下する場合がある。例えば、第１オーダーについては全ての処理を行う要求がなされているが、第２オーダーについては途中の処理をいくつか省く要求がなされている場合、第１オーダーの処理が全て終わるまで第２オーダーが待機状態になっていては、全体の処理時間が長くなり処理効率が低下する。この場合、処理作業の無駄を省くためには、順番を入れ替えて第２オーダーを先に処理する方がよい。あるいは、各処理によってかかる時間が異なるため、例えば、第１オーダーが時間のかかる処理に入っている間に、その処理が省かれている第２オーダーに対しては、第１オーダーではまだ始まっていない次の処理を先に行う方が効率がよい。
【００２１】
そこで、本発明の画像処理装置においては、制御部により、各オーダーの要求内容および処理情報に基づいて各処理の組み合わせを制御し、必要であればオーダーの順番を入れ替える等の最適化を行う。
これにより、時間のかかる処理が行われている場合でも、各オーダーの依頼状況によって柔軟に各処理に対処できるため、ユーザの待ち時間等を短縮することができる。
従って、さらに処理効率のよい画像処理装置を得ることができる。
【００２２】
第７の発明に係る画像処理装置は、第１から６の発明のいずれか１項に係る画像処理装置であって、制御部は、さらにオーダーの複数の処理毎の終了時間を算出し、終了時間を表示部に表示させる。
ここでは、表示部においてさらに他の処理情報を表示する例を示す。
【００２３】
ユーザの便宜上、所望のオーダーの処理情報は、そのオーダーの状況を詳しく示すために様々なパラメータを含んでいることが好ましい。例えば、所望のオーダーの仕上がり時間、さらには所望のオーダーにおける処理毎の終了時間を知ることができれば、画像処理装置を使用する上で作業効率がより向上する。
そこで、本発明の画像処理装置においては、制御部により、処理毎の終了時間を算出して表示部にこの結果も表示させる。
これにより、ユーザは、より具体的に処理の状況を把握して作業を行うことができる。
従って、ユーザの利便性や作業効率をより一層向上させる画像処理装置を得ることができる。
【００２４】
第８の発明に係る画像処理プログラムは、一つのオーダーにおいて複数の処理を実施して画像データをプリントする画像処理装置の画像処理プログラムであって、オーダーのオーダー情報を取得する第１のステップと、オーダー情報に対応する処理情報を複数のオーダーの処理情報の中から探知する第２のステップと、オーダー情報に対応する処理情報、あるいはオーダー情報に対応する処理情報および他のオーダーの処理情報を表示する第３のステップとを備える。
【００２５】
ここでは、一つのオーダーに対して複数の処理が実施される場合に、指定された所望のオーダーのオーダー情報に対応した処理情報を表示させる画像処理プログラムを構成する。
本発明の画像処理プログラムにおいては、ユーザにより入力された各オーダーと一対一に対応する所定のオーダー情報に基づいて、制御部が所望のオーダーの各処理状況を探知し、さらに表示部にその結果を処理情報として表示させる。
【００２６】
これにより、複数の処理が実施されている場合でも、ユーザに所望のオーダーの各処理状態を知らせることができる。
従って、画像処理装置においてユーザの利便性や作業効率をより向上させることができる。
【発明の効果】
【００２７】
第１の発明に係る画像処理装置によれば、ユーザの利便性や作業効率を向上させる画像処理装置を得ることができる。
第２の発明に係る画像処理装置によれば、ユーザの利便性や作業効率をさらに向上させる画像処理装置を得ることができる。
第３の発明に係る画像処理装置によれば、ユーザの利便性や作業効率をさらに向上させる画像処理装置を得ることができる。
【００２８】
第４の発明に係る画像処理装置によれば、ユーザの利便性や作業効率をさらに向上させる画像処理装置を得ることができる。
第５の発明に係る画像処理装置によれば、ユーザの利便性や作業効率をより一層向上させる画像処理装置を得ることができる。
第６の発明に係る画像処理装置によれば、さらに処理効率のよい画像処理装置を得ることができる。
【００２９】
第７の発明に係る画像処理装置によれば、ユーザの利便性や作業効率をより一層向上させる画像処理装置を得ることができる。
第８の発明に係る画像処理プログラムによれば、画像処理装置においてユーザの利便性や作業効率をより向上させることができる。
【発明を実施するための最良の形態】
【００３０】
本発明の一実施形態に係る写真プリントシステム（画像処理装置）１について、図１〜図７を用いて説明すれば以下の通りである。
［写真プリントシステム１全体の構成］
本発明の一実施形態に係る画像処理装置は、図１に示すように、いわゆるデジタルミニラボと呼ばれる写真プリントシステム１である。
【００３１】
写真プリントシステム１は、操作ステーション２と、プリントステーション３とを備えている。
操作ステーション２は、現像された写真フィルム２ａやデジタルカメラ等で撮影されたデジタル画像データが保存されたメモリカード２ｂ等のメディアから画像データを取り込んでプリントデータを作成し、ケーブル４を介して接続されたプリントステーション３に対して送信する。
【００３２】
プリントステーション３は、操作ステーション２から受信したプリントデータに基づいて、印画紙Ｐに対して露光処理および現像処理を行って写真プリントを行う。
［操作ステーション２の構成］
操作ステーション２は、図１に示すように、デスク上に配置された、フィルムスキャナ２１と、メディアリーダ２２と、モニタ（表示部）２３と、キーボード２４と、マウス２５と、パソコンＰＣとを有している。
【００３３】
フィルムスキャナ２１は、写真フィルム２ａに現像された撮影コマに対応する画像（以下、撮影コマ画像と示す）をデジタル画像データとして取り込む。
メディアリーダ２２は、本写真プリントシステム１のコントローラとして機能するパソコンＰＣに搭載されており、デジタルカメラ等で撮影された撮影コマ画像のデジタルデータをメモリカード２ｂや各種半導体メモリ、ＣＤ−Ｒ等のメディアから取り込む。
【００３４】
モニタ２３には、プリントサイズや補正内容等の各種設定、所望のオーダー番号等の入力情報、および処理状況等が表示されて、ユーザにそれらの情報を通知する。
キーボード２４およびマウス２５は、プリントサイズや補正内容等の各種設定入力、および所望のオーダー番号等の入力を行うためのポインティングデバイスである。
パソコンＰＣは、モニタ２３、キーボード２４、マウス２５とに接続される。また、パソコンＰＣは、図３に示すように、ＲＯＭ、ＲＡＭ、ＨＤＤ等のメモリ３１と、ＧＵＩ（Ｇｒａｐｈｉｃａｌ  Ｕｓｅｒ  Ｉｎｔｅｒｆａｃｅ）部３２と、写真プリントシステム１の管理・制御を統括する制御部３３と、を内蔵している。
【００３５】
キーボード２４やマウス２５を介してユーザによって入力された指示に従って、内蔵メモリ３１に記憶された写真処理プログラムがパソコンＰＣの図示しないＣＰＵによって読み込まれる。これにより、所望のオーダーの処理工程に関する処理情報を表示するための制御ブロックが形成され、処理情報データや各部の制御データが相互に伝送される。また、メモリ３１には、各種設定入力条件や、各オーダーの処理設定条件等が記憶される。
【００３６】
ＧＵＩ部３２は、各種ウィンドウや各種操作ボタン等を含むグラフィック操作画面を作成したり、このグラフィック操作画面を通じてキーボード２４やマウス２５等を用いることで行われる、ユーザによる入力に基づいて制御コマンドを生成したりするためのグラフィックユーザインターフェースを構築する。ここでは、ＧＵＩ部３２は、ユーザが所望のオーダーのオーダー番号を入力するための入力画面を形成し、オーダー番号を制御部３３に通知するためのデータ信号を送信する。
【００３７】
図３に示すように、制御部３３は、さらに処理情報探知部３３ａと、処理情報表示部３３ｂと、を有している。
処理情報探知部３３ａは、データ信号を受信し、その信号に基づいて必要なデータをメモリ３１から選び出す。ここでは、処理情報探知部３３ａは、オーダー番号のデータ信号をＧＵＩ部３２から受信し、そのオーダー番号に基づいて、メモリ３１に記憶された所望のオーダーの処理情報を複数のオーダーの処理情報の中から探知する。そして、処理情報探知部３３ａは、探知した結果をモニタ２３（図１参照）に表示させるための表示データ信号を送信する。
【００３８】
処理情報表示部３３ｂは、表示データ信号を受信し、それを基づいてモニタ２３に表示データを表示させる。ここでは、処理情報表示部３３ｂは、オーダーの処理情報の表示データ信号を処理情報探知部３３ａから受信し、そのオーダー番号に基づいて、モニタ２３にオーダーの処理情報の結果を表示させる。
［プリントステーション３の構成］
プリントステーション３は、図２に示すように、内部に、２つの印画紙マガジン１１と、シートカッター１２と、バックプリント部１３と、プリント露光部１４と、処理槽ユニット１５と、コンベア１６と、ソータ１７（図１参照）と、印画紙搬送機構１８とを有している。
【００３９】
２つの印画紙マガジン１１は、プリントステーション３の内部においてロール状の印画紙Ｐを１つずつ収納しており、印画紙搬送機構１８によって適宜必要な量の印画紙Ｐが引き出される。
シートカッター１２は、印画紙搬送機構１８の一部と隣接するように配置されており、印画紙マガジン１１から引き出された印画紙Ｐをプリントサイズに切断する。
【００４０】
バックプリント部１３は、シートカッター１２の下流側であって印画紙搬送機構１８と隣接する位置に配置されており、プリントサイズに切断された印画紙Ｐの裏面側に、色補正情報やコマ番号等のプリント処理情報をプリント処理する。
プリント露光部１４は、バックプリント部１３の下流側における印画紙搬送機構１８に隣接するように配置されており、プリントサイズに切断された印画紙Ｐの表面に対して、プリントする撮影画像の露光を行う。また、プリント露光部１４には、副走査方向に搬送される印画紙Ｐに対して主走査方向に沿ってＲＧＢの３色のレーザ光線を照射する図示しないライン露光ヘッドを有している。
【００４１】
処理槽ユニット１５は、プリント露光部１４の下流側に配置されており、発色現像処理液を貯留する発色現像槽１５ａ、漂白定着処理液を貯留する漂白定着槽１５ｂ、安定処理液を貯留する安定処理層１５ｃを有している。そして、露光後の印画紙Ｐがこれらの各処理槽１５ａ〜１５ｃをこの順で経由しながら印画紙搬送機構１８によって搬送されることで、所望の写真プリント画像が印画紙Ｐの表面に形成される。
【００４２】
コンベア１６は、プリントステーション３の上部に露出しており、写真プリント画像が表面に形成されて乾燥処理後に排出された印画紙Ｐをソータ１７（図１参照）の方向へ搬送する。
ソータ１７は、プリントステーション３の前面側に鉛直方向に複数のトレイを並べた状態で配置されており、コンベア１６によって搬送されるプリント済の印画紙Ｐを、オーダー単位で各トレイに振り分ける（図１参照）。
【００４３】
印画紙搬送機構１８は、プリントステーション３の内部において、印画紙マガジン１１に収容されたロール状の印画紙Ｐを引き出すとともに、プリントサイズに切断された印画紙Ｐを、印画紙Ｐに対して行われる様々な処理に対応した搬送速度で搬送する。また、印画紙搬送機構１８は、印画紙Ｐの搬送方向におけるプリント露光部１４の上流側および下流側にそれぞれ配置されたチャッカー式搬送ユニット１８ａと、複数の挟持搬送ローラ対１８ｂとを有している。
【００４４】
［オーダーの処理情報の表示］
本実施形態の写真プリントシステム１における所望のオーダーの処理情報の表示について、モニタ２３（図１参照）に実際に表示される画面を図４〜図７を用いて説明すれば以下の通りである。なお、以下では、オーダー情報を複数の数字からなるオーダー番号とする。
【００４５】
写真プリントシステム１の動作中においては、モニタ２３の画面上には、図４に示す管理画像４０が表示されている。この管理画像４０は、モニタ２３の画面の右下に配置されて画面全体の約１／４を占めており、機器情報、プロセッサ情報、そしてオーダーの処理情報等に関する表示を行う。
この状態で、オーダー番号入力処理のコマンドに対応付けられたキーボード２４上の特定のキーが押下されると、図５に示すようなオーダー番号入力画面５０が、モニタ２３の画面に表示される。ここで、ユーザ自身がオーダー番号を入力ボックス５１に入力してもよいし、あるいは「処理中オーダー一覧」ボタン５２を選択すると、その時点で写真プリントシステム１が受け付けているオーダーの一覧が表示されるので、その中から所望のオーダー番号を選択してもよい。オーダー番号が入力されて確定されると、オーダー番号入力画面５０はモニタ２３の画面から消える。
【００４６】
そして、図４の管理画像４０において、入力されたオーダー番号について処理中の処理に対応する、管理画像４０の一部分が反転表示により強調して表示される。ここでは、一つのオーダーにおける全ての処理は、「処理前」、「スキャニング」、「プリント画像作成」、「インデックス画像作成」、「プロセッサ処理」、「メディア保存」、「処理終了」の７工程である。本実施形態において、処理が行われている場合に反転表示される管理画像４０の一部分との対応は、図４に示すように、「処理前」が部分画像４１、「スキャニング」が部分画像４２、「プリント画像作成」および「インデックス画像作成」が部分画像４３、「プロセッサ処理」が部分画像４４、「メディア処理」が部分画像４５、「処理後」が部分画像４６となっている。一連の処理の中で複数の処理が並行して行われている場合には、部分画像４１〜４６のうち、複数の部分画像が反転表示される。
【００４７】
さらに、本実施形態では、所望のオーダーに要求されている処理について確認したい場合には、例えば、反転している部分画像にカーソルを合わせてマウス２５をダブルクリックすることで、モニタ２３の表示を、図６に示すような簡易一覧表示６０に切り替えることができる。この簡易一覧表示においても、処理中の処理の文字列は反転表示される。ここでは、図中で網掛けされている「スキャニング」が反転表示となっており、この時点で所望のオーダーにおいて、スキャニング処理が行われていることを示す。
【００４８】
さらに、本実施形態では、上記簡易一覧表示において反転表示されている文字列をダブルクリックすると、図７に示すように、その処理の進捗状況を表示する処理工程確認画面７０に遷移する。この画面では、ステータスバー７１を用いて、例えばスキャニング処理がどの程度まで進んだかを表示する。
上記のような表示画面は、一定時間が経過するとモニタ２３の画面から消去される。そして、画面は管理画像４０に戻り、所望のオーダーの処理情報の表示は終了する。
【００４９】
［画像処理装置の特徴］
（１）
本実施形態の写真プリントシステム１は、画像データのプリント処理において、一つのオーダーについて複数の処理が実施されている場合に、次のようにして処理の状態をユーザに通知する。すなわち、ＧＵＩ部３２によって形成されるグラフィック画面よりオーダーのオーダー番号が入力されると、制御部３３の処理情報探知部３３ａによって、そのオーダー番号に対応する処理情報が複数のオーダーの処理情報の中から探知される。さらに、処理情報表示部３３ｂによって、探知された処理情報がモニタ２３の画面に表示される。
【００５０】
これにより、本発明の写真プリントシステム１を使用することで、ユーザは、所望のオーダー番号を入力するだけで、複数の処理が実施されている場合でも、所望のオーダーについての処理状況を容易に把握することができる。
従って、ユーザの利便性や作業効率を向上させる、写真プリントシステム１を提供できる。
【００５１】
（２）
本実施形態の写真プリントシステム１では、制御部３３の処理情報表示部３３ｂにより、処理情報探知部３３ａで探知された処理情報を、図４に示すように、複数の処理工程に各々対応させた管理画像４０の部分画像４１〜４６を用いて、モニタ２３の画面に表示させる。
【００５２】
これにより、写真プリントシステム１において、入力されたオーダー番号の処理情報をユーザに対してわかり易く通知することができる。
従って、ユーザの利便性や作業効率を向上させる、ユーザフレンドリーな写真プリントシステム１を提供することができる。
（３）
本実施形態の写真プリントシステム１では、制御部３３の処理情報表示部３３ｂにより、上記複数の処理工程に各々対応させた部分画像４１〜４６のうち、処理中の処理工程に対応する部分画像をモニタ２３の画面に強調表示させる。
【００５３】
これにより、ユーザに知らせるべき処理情報が強調されるので、ユーザは視覚的に一目で処理中の処理工程を区別することができ、所望のオーダーの処理情報をさらに容易に確認することができる。
従って、ユーザの利便性や作業効率を向上させる、さらにユーザフレンドリーな写真プリントシステム１を提供することができる。
【００５４】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態では、所望のオーダーの処理情報をモニタ２３に表示するために、複数の処理に各々対応させた部分画像４１〜４６を用いる例を挙げて説明した。しかし、本発明はこれに限定されるものではない。
【００５５】
例えば、画像を用いる代わりに、表によって処理情報を表すようにしてもよい。ここでは、図８に示すように、各処理を文字列で示して、オーダー番号に対応する処理情報を表に表す。また、処理情報を要求した時点で行われている処理については、上記実施形態と同様に、ユーザの便宜上、強調表示されることが好ましい。図８においては、オーダー番号０００１の処理において、メディア保存処理が行われている最中であることを示しており、表中の網掛け部が強調表示されている。
【００５６】
なお、図８において、「済」は処理が終了したことを、「中」はその時点で処理が行われていることを、「未」は処理がまだ行われていないことを、「×」はその処理が要求されていないことを示す。
これにより、上記実施形態と同様の効果を得ることができる。また、本実施形態では、処理情報の表示に際して画像を用いないため、例えば、表示解像度が高くないモニタを搭載した写真プリントシステムに対して特に有用である。
【００５７】
（Ｂ）
上記実施形態では、所望のオーダーの処理情報をモニタ２３に表示するために、複数の処理に各々対応させた部分画像４１〜４６を用いる例を挙げて説明した。しかし、本発明はこれに限定されるものではない。
写真プリントシステムにおいては、複数のオーダーが受け付けられている場合もある。特に、処理するオーダー数が多い場合には、他のオーダーの数や、それらに要求されている処理の依頼状況、および各処理の進捗状況も確認できると効率がよい。
【００５８】
そこで例えば、図８に示すような表形式を用いて所望のオーダーの処理情報を表示させる際に、図９に示すように、他のオーダーの処理情報も同時に表形式を用いてモニタ２３の画面上に一覧表示させてもよい。
なお、図９において、各処理状態の表示内容は、図８と同様である。
これにより、写真プリントシステムにおいて要求されている他のオーダーの処理情報も知らせることができるので、ユーザはシステムの処理の状況を全体的に把握して作業を行うことができる。従って、ユーザの利便性や作業性をさらに向上させる、写真プリントシステムを提供することができる。
【００５９】
（Ｃ）
上記他の実施形態（Ｂ）の一覧表示の結果に基づいて、さらに写真プリントシステム１の効率化を図る制御を行ってもよい。
写真プリントシステム１の処理において、時間の最もかかる処理としては、例えば、メディア保存処理が挙げられる。このため、各オーダーで要求されている処理内容によっては、オーダー順に関らず、処理順を柔軟に制御すると処理効率が向上するため好ましい。
【００６０】
例えば、図９において、オーダー番号０００３、０００４、および０００５についてみると、オーダー番号０００３にはメディア保存処理とインデックス画像作成処理とが要求されていないので、残りの処理工程はプロセッサ処理のみである。通常、この次に処理が開始されるのはオーダー番号０００４である。しかし、オーダー番号０００４では、メディア保存処理が要求されており、その次のオーダー番号０００５については、メディア保存処理は要求されていない。そのため、オーダー番号０００５では、全ての処理がオーダー番号０００４よりも短時間で完了する。この場合、オーダー番号０００５の処理を先に行うと、オーダー番号０００４のメディア保存処理が終了するまで待機する必要がなくなり、写真プリントシステム全体の処理効率がよい。
【００６１】
そこで、例えば、制御部３３により、図９に示す各オーダーの処理情報に基づいてオーダーの処理順を適宜変更する最適化処理を行う。
これにより、処理効率を向上させた写真プリントシステムを提供することができる。
（Ｄ）
上記実施形態では、所望のオーダーの処理情報をモニタ２３に表示するために、複数の処理に各々対応させた部分画像４１〜４６を用いる例を挙げて説明した。しかし、本発明はこれに限定されるものではない。
【００６２】
例えば、画像を用いる代わりに、各処理の流れを文字列で表示して処理情報を表すようにしてもよい。ここでは、図１０に示すように、各処理を文字列で示して、処理の流れを矢印で示している。また、処理情報を要求した時点でなされている処理は、ユーザの便宜上、強調表示されることが好ましい。図１０においては、オーダー番号０００３の処理において、プリント画像作成処理が行われている最中であることを示しており、「プリント画像作成」の文字列が強調表示されている。
【００６３】
これにより、上記実施形態と同様の効果を得ることができる。また、本実施形態では、処理情報の表示に際して画像を用いないため、例えば、表示解像度が高くないモニタを搭載した写真プリントシステムに対して特に有用である。
（Ｅ）
上記実施形態では、所望のオーダーのオーダー番号を、オーダー番号入力画面５０から指定する例を挙げて説明した。しかし、本発明はこれに限定されるものではない。
【００６４】
例えば、キーボード２４上の特定のキーが押下されると、図１１に示すように、最初に処理毎の進捗状況を表示してもよい。図１１は、処理情報を要求した時点において、プリント処理について、オーダー番号０００１の処理が終了し、オーダー番号０００２が処理中であり、オーダー番号０００３が待機状態であることを示しており、オーダーを受け付けた順に各オーダーを処理していることがわかる。また、メディア保存処理については、プリント処理が既に終了したオーダー番号０００１を、この時点で処理していることがわかる。
【００６５】
さらに、本形態は、図１１の画面上でオーダー番号を指定することで、そのオーダーの処理情報を上記実施形態のように表示するものであってもよい。オーダー番号の指定は、マウス２５を用いてオーダー番号をダブルクリック等すればよい。
これにより、オーダー毎の処理情報を確認する前に、処理毎の進捗状況を個別に把握することができるため、ユーザにより多面的な情報を通知することができる。従って、ユーザの利便性や作業性をさらに向上させる、写真プリントシステムを提供することができる。
【００６６】
（Ｆ）
上記実施形態では、ユーザに通知する所望のオーダーの処理情報として、主に進捗情報を表示する例を挙げて説明した。しかし、本発明はこれに限定されるものではない。
処理情報としては、ユーザにとって利便性および作業効率が向上する情報を、適宜モニタ２３に追加表示することができる。例えば、オーダーの仕上がり時間、さらには処理毎の終了時間をユーザに示すことができれば、事前に所望のオーダーの終了時間を予測して写真プリントを取りに来ることができるので、写真プリントシステムを使用する上でユーザにとって都合がよい。
【００６７】
そこで、制御部３３により、各オーダーの処理毎の終了時間を算出し、処理情報表示部３３ｂにより、その算出結果を他の処理情報と共にモニタ２３の画面に表示させるような制御を行ってもよい。表示形態については特に限定はしないが、例えば、上記他の実施形態（Ｅ）において、さらにオーダー番号０００１のメディア保存処理の終了時間を表示させた例を図１２に示す。上記実施形態および各他の実施形態においても、適宜終了時間を表示することが好ましい。
【００６８】
これにより、所望のオーダーの終了時間を知らせることができるので、ユーザはより具体的に処理の状況を把握して作業を行うことができる。従って、ユーザの作業効率をより向上させる、写真プリントシステムを提供することができる。
（Ｇ）
上記実施形態では、所望のオーダーの処理情報をモニタ２３に表示する際に、処理情報を要求した時点で処理中の処理に対応する部分画像を反転表示させる例を挙げて説明した。しかし、本発明はこれに限定されるものではない。
【００６９】
ユーザがわかり易いように、処理中の工程を強調表示できる方法であれば、反転表示以外の方法を用いてもよい。例えば、色付き表示、点滅表示、さらに文字列の場合はフォントを変更する表示等であってもよい。
これによっても、上記実施形態と同様の効果を得ることができる。
（Ｈ）
上記他の実施形態では、所望のオーダーの処理情報をモニタ２３に表示する際に、処理の一覧を表示して、処理情報を要求した時点で処理中の処理を強調表示する例を挙げて説明した。しかし、本発明はこれに限定されるものではない。
【００７０】
さらにそれに加えて、上記処理情報の表示に際して、処理情報表示部３３ｂにより所望のオーダーにおいて要求されていない処理の表示部分をグレー表示させる等してもよい。あるいは、要求されていない処理を表示しないようにさせてもよい。
これにより、オーダーで要求されている処理とされていない処理とを視覚的に区別できるようになり、ユーザは容易に処理情報を得ることができる。従って、ユーザの利便性や作業性をさらに向上させる、写真プリントシステムを提供することができる。
【００７１】
（I）
上記実施形態では、処理情報探知部３３ａで探知した処理情報を、処理情報表示部３３ｂでモニタ２３に表示させ、一定時間が経過すると元の管理画面４０に戻る例を挙げて説明した。
さらに本発明では、元の管理画面４０に戻った場合に、表示した処理情報について次のような処理を行ってもよい。
【００７２】
例えば、表示した処理情報をメモリ３１に記憶させて履歴として一時保存しておくことができる。この場合、メモリ３１の容量を考慮して、最新のものから一定量分の履歴を残すようにしてもよいし、あるいは一定時間経過した履歴を消去するようにしてもよい。
これにより、ユーザは履歴を参照することができるようになる。従って、ユーザの利便性や作業性をさらに向上させる、写真プリントシステムを提供することができる。
【００７３】
（Ｊ）
本発明は、上記実施形態および上記各々他の実施形態を適宜組み合わせ、あるいは一部を組み合わせて、所望のオーダーまたは他のオーダーの処理情報をモニタ２３の画面に表示させるものであってもよい。
複数の処理が行われる写真プリントシステムにおいては、システムの処理構成によってユーザにとって必要と思われる処理情報は様々であるので、処理情報の表示方法および内容はシステム毎に適切に制御されることが好ましい。
【産業上の利用可能性】
【００７４】
本発明の画像処理装置は、複数の処理が実施されている場合でも、所望のオーダーの各処理の状態を通知することができ、ユーザの利便性や作業効率を向上させるという効果を有するため、オーダーの処理状況を確認する各種装置に対して広く適用可能である。
【図面の簡単な説明】
【００７５】
【図１】本発明の一実施形態に係る写真プリントシステムの構成を示す斜視図。
【図２】図１に含まれるプリントステーションの内部の構成を示す断面図。
【図３】図１の写真プリントシステムが形成する制御ブロック図。
【図４】図１の写真プリントシステムのモニタに表示される管理画像を示す図。
【図５】図１の写真プリントシステムのモニタに表示されるオーダー番号入力画面を示す図。
【図６】図１の写真プリントシステムのモニタに表示される処理の簡易一覧表示画面を示す図。
【図７】図１の写真プリントシステムのモニタに表示される処理工程確認画面を示す図。
【図８】図１の写真プリントシステムのモニタに表示される他の実施形態に係る表示画面を示す図。
【図９】図１の写真プリントシステムのモニタに表示される他の実施形態に係る表示画面を示す図。
【図１０】図１の写真プリントシステムのモニタに表示される他の実施形態に係る表示画面を示す図。
【図１１】図１の写真プリントシステムのモニタに表示される他の実施形態に係る表示画面を示す図。
【図１２】図１の写真プリントシステムのモニタに表示される他の実施形態に係る表示画面を示す図。
【符号の説明】
【００７６】
１      写真プリントシステム（画像処理装置）
２      操作ステーション
３      プリントステーション
４      ケーブル
１１      印画紙マガジン
１２      シートカッター
１３      バックプリント部
１４      プリント露光部
１５      処理槽ユニット
１６      コンベア
１７      ソータ
１８      印画紙搬送機構
２２      メディアリーダ
２３      モニタ（表示部）
２４      キーボード
２５      マウス
３１      メモリ
３２      ＧＵＩ部（入力部）
３３      制御部
３３ａ    処理情報探知部
３３ｂ    処理情報表示部
４０      管理画像
４１〜４６  部分画像
５０      オーダー番号入力画面
５１      入力ボックス
６０      簡易一覧表示
７０      処理工程確認画面
７１      ステータスバー
Ｐ      印画紙
ＰＣ      パソコン
【図１】
2007272109.tif 000003
【図２】
2007272109.tif 000004
【図３】
2007272109.tif 000005
【図４】
2007272109.tif 000006
【図５】
2007272109.tif 000007
【図６】
2007272109.tif 000008
【図７】
2007272109.tif 000009
【図８】
2007272109.tif 000010
【図９】
2007272109.tif 000011
【図１０】
2007272109.tif 000012
【図１１】
2007272109.tif 000013
【図１２】
2007272109.tif 000014